(57)【特許請求の範囲】
【請求項１】
タイヤトレッド部に設けられ、タイヤ周方向と交差する方向へ伸び、また、溝深さより小さい溝幅を有する少なくとも1つの空気受入溝と、
前記空気受入溝に連通する一組の空気導入溝及び空気案内溝とを備え、
前記空気導入溝は前記空気受入溝の周方向に相対する溝壁面のうち一方の溝壁面に連通し、
前記空気案内溝は前記空気受入溝の周方向に相対する溝壁面のうち他方の溝壁面に開放し、
前記空気案内溝のタイヤ径方向一端は、前記空気導入溝の溝底と前記空気受入溝の前記一方の溝壁面とが交差する径方向位置よりもタイヤ径方向外側にあり、
前記空気案内溝のタイヤ径方向他端は、前記空気受入溝の溝深さの半分の位置よりもタイヤ径方向内側にあり、
前記空気案内溝は、前記空気導入溝とタイヤ周方向において少なくとも部分的に対向しており、
前記空気案内溝は前記空気受入溝と同じ溝深さを有し、前記空気案内溝の溝壁は前記空気受入溝の溝壁面と少なくとも一部が径方向において平行である、タイヤ。
【請求項２】
前記空気導入溝は、前記空気受入溝に向かうに連れて溝深さが深くなる、請求項１に記載のタイヤ。
【請求項３】
前記空気案内溝の一端及び他端はそれぞれ踏面と前記空気受入溝の溝底との間に位置し、前記受入溝の溝壁に対して凹む凹部からなる、請求項１に記載のタイヤ。
【請求項４】
さらに、前記空気受入溝に連通するもう一組の他の空気導入溝及び他の空気案内溝を有し、
前記他の空気導入溝は前記空気受入溝の周方向に相対する溝壁面のうち他方の溝壁面に連通し、
前記他の空気案内溝は前記空気受入溝の周方向に相対する溝壁面のうち一方の溝壁面に開放している、請求項１に記載のタイヤ。
【請求項５】
前記一組の空気導入溝及び空気案内溝と、前記もう一組の他の空気導入溝及び他の空気案内溝とは、それぞれ前記空気受入溝の長手方向に互いに間隔をおいて配置されている、請求項４に記載のタイヤ。
【請求項６】
さらに、前記空気受入溝に連通するもう一組の他の空気導入溝及び他の空気案内溝を有し、前記他の空気導入溝は前記空気受入溝の他方の溝壁面と交差し、また、前記他方の空気案内溝は前記空気受入溝の一方の溝壁面に開放しており、
前記タイヤの踏面上における前記空気導入溝及び他の空気導入溝の正投影面積の和（Ａ）に対する前記空気案内溝及び他の空気案内溝の正投影面積の和（Ｂ）の比である開口率（Ｂ／Ａ）は、５０％以下である、請求項１に記載のタイヤ。
【発明の詳細な説明】
【技術分野】
【０００１】
本発明はタイヤに関し、より詳細には、大型車両、特に建設車両への装着に好適なるタイヤに関する。
【背景技術】
【０００２】
車両系建設機械のような大型車両に用いられる空気入りタイヤにあっては、そのトレッド部が他の車両のタイヤと比べて大きい厚さを有する。このため、大型車両の作業又は走行に伴って発熱するタイヤのトレッド部、特にその深部における温度が、大気中における自然放熱によっては下がりにくいという問題がある。
【０００３】
この問題の解決のため、従来、タイヤのトレッド部に、該タイヤ周方向に間隔をおいて、複数の空気の空気受入溝と各空気受入溝に連通する空気の空気導入溝とを設けることが提案されている（後記特許文献１参照）。
【０００４】
これによれば、前記空気導入溝を通して前記空気受入溝に導入され、受け入れられた空気が、前記空気受入溝内をその長手方向へ流れ、この間に、前記空気受入溝の溝底部近傍、したがって前記トレッド部の深部近傍が冷却される。
【０００５】
しかし、実際には、前記空気受入溝に導入された空気は、前記空気受入溝の溝底部近傍ではなく、前記空気受入溝の開放面下の比較的浅いところを流れ、このため、比較的温度の高い前記トレッド部の深部における冷却が十分になされないことが分かった。
【先行技術文献】
【特許文献】
【０００６】
【特許文献１】国際公開第２０１３−０３５８８９号
【発明の概要】
【発明が解決しようとする課題】
【０００７】
本発明の目的は、トレッド部の深部又はその近傍の放熱を可能とするタイヤを提供することにある。
【課題を解決するための手段】
【０００８】
本発明に係るタイヤは、タイヤトレッド部に設けられ、タイヤ周方向と交差する方向へ伸び、また、溝深さより小さい溝幅を有する少なくとも1つの空気受入溝と、前記空気受入溝に連通する一組の空気導入溝及び空気案内溝とを備え、前記空気導入溝は前記空気受入溝の周方向に相対する溝壁面のうち一方の溝壁面に連通し、前記空気案内溝は前記空気受入溝の周方向に相対する溝壁面のうち他方の溝壁面に開放し、前記空気案内溝のタイヤ径方向一端は、前記空気導入溝の溝底と前記空気受入溝の前記一方の溝壁面とが交差する径方向位置よりもタイヤ径方向外側にあり、前記空気案内溝のタイヤ径方向他端は、前記空気受入溝の溝深さの半分の位置よりもタイヤ径方向内側にあり、前記空気案内溝は、前記空気導入溝とタイヤ周方向において少なくとも部分的に対向しており、前記空気案内溝は前記空気受入溝と同じ溝深さを有し、前記空気案内溝の溝壁は前記空気受入溝の溝壁面と少なくとも一部が径方向において平行である（請求項１）。
【０００９】
前記空気導入溝は、前記空気受入溝に向かうに連れて溝深さが深くなる（請求項２）。
【００１０】
前記空気案内溝の一端及び他端はそれぞれ踏面と前記空気受入溝の溝底との間に位置し、前記受入溝の溝壁に対して凹む凹部からなる（請求項３）。
【００１１】
さらに、前記空気受入溝に連通するもう一組の他の空気導入溝及び他の空気案内溝を有し、前記他の空気導入溝は前記空気受入溝の周方向に相対する溝壁面のうち他方の溝壁面に連通し、前記他の空気案内溝は前記空気受入溝の周方向に相対する溝壁面のうち一方の溝壁面に開放する（請求項４）。
【００１２】
前記一組の空気導入溝及び空気案内溝と、前記もう一組の他の空気導入溝及び他の空気案内溝とは、それぞれ前記空気受入溝の長手方向に互いに間隔をおいて配置されている（請求項５）。
【００１３】
さらに、前記空気受入溝に連通するもう一組の他の空気導入溝及び他の空気案内溝を有し、前記他の空気導入溝は前記空気受入溝の他方の溝壁面と交差し、また、前記他方の空気案内溝は前記空気受入溝の一方の溝壁面に開放しており、前記タイヤの踏面上における前記空気導入溝及び他の空気導入溝の正投影面積の和（Ａ）に対する前記空気案内溝及び他の空気案内溝の正投影面積の和（Ｂ）の比である開口率（Ｂ／Ａ）は、５０％以下である（請求項６）。
【００１４】
本発明の実施形態において、踏面を規定するトレッド部を有するタイヤは、前記トレッド部に設けられ前記踏面に開放する複数の空気受入溝と、前記トレッド部に設けられ各空気受入溝に連通する一組の空気導入溝及び空気案内溝とを備える。各空気受入溝はタイヤ周方向に対してこれと交差する方向へ伸び、また、溝深さより小さい溝幅を有する。前記空気導入溝は前記踏面に開放し、また、前記空気受入溝の溝幅を規定する両溝壁面のうちの一方の溝壁面と交差している。前記空気案内溝は前記空気受入溝の両溝壁面のうちの他方の溝壁面に開放し、また、タイヤ径方向へ伸びている。前記空気案内溝のタイヤ径方向における一端及び他端は、それぞれ、前記空気導入溝の溝底と前記空気受入溝の一方の溝壁面との交差位置よりも前記タイヤ径方向外側及び前記空気受入溝の溝深さの半分の位置よりも前記タイヤ径方向内側にあり、前記空気案内溝は、前記空気受入溝の長手方向に関して、前記空気導入溝に対して少なくとも部分的に対向している。
【発明の効果】
【００１５】
本発明によれば、タイヤの回転に伴って、空気（大気）は、前記空気導入溝を通して前記空気受入溝にその一方の溝壁面からその他方の溝壁面に向けて導入される。本発明にあっては、前記空気受入溝の他方の溝壁面に開放する空気案内溝が設けられている。前記空気案内溝はタイヤ径方向へ伸び、また、前記空気案内溝は、前記空気受入溝の長手方向に関して、前記空気導入溝に対して少なくとも部分的に対向している。このことから、前記空気受入溝内に導入された空気はその全部又はその一部が前記空気案内溝に至り、該空気案内溝内をこれに沿って前記タイヤ径方向内側へ案内される。その後、前記空気は前記空気案内溝を出て、前記空気受入溝内をその長手方向へその溝底に接して又はこれに近接して流れる。その結果、前記空気受入溝の溝底、したがって前記トレッド部の深部が前記空気との接触に伴う熱伝達により冷却され、これにより、前記トレッド部の深部からの熱の放出とこれに伴う前記トレッド部の深部の温度の低下とを図ることができる。
【００１６】
前記空気導入溝は、好ましくは、前記タイヤの踏面から前記タイヤ径方向内側に向けて傾斜する溝底を有する。これによれば、前記溝底を非傾斜状態にする場合と比べて、前記空気案内溝に至る空気に対してより大きい流下動力を与えることができ、これにより、前記空気をより確実に前記空気受入溝の溝底に到達させることができる。
【００１７】
前記空気案内溝はその一端において前記踏面に開放しかつその他端が前記空気受入溝の溝底を含む平面上にあり、また、前記空気案内溝の溝底は前記空気受入溝の溝壁面と平行にタイヤ径方向に伸びる平坦面からなるものとすることができる。あるいは、前記空気案内溝の溝底は、該空気案内溝の一端から前記空気受入溝の溝壁面と平行に前記タイヤ径方向内側に伸びる平坦面と、該平坦面に角度をなして連なり、前記空気案内溝の他端に至る傾斜面とからなるものとすることができる。前記傾斜面に代えて、これを前記空気受入溝の溝壁面に相対する凹状の曲面からなるものすることができる。また、前記空気案内溝の一端及び他端はそれぞれ前記踏面と前記空気受入溝の溝底との間に位置し、前記空気案内溝の溝底は該空気案内溝の一端から他端に至る凹状の曲面からなるものとすることができる。
【００１８】
さらに、前記空気受入溝に連通するもう一組の他の空気導入溝及び他の空気案内溝を有するものとすることができる。前記他の空気導入溝は前記空気受入溝の他方の溝壁面と交差し、また、前記他方の案内溝は前記空気受入溝の一方の溝壁面に開放している。ここにおいて、前記一組の空気導入溝及び空気案内溝と、前記もう一組の他の空気導入溝及び他の空気案内溝とは、前記空気受入溝の長手方向に互いに間隔をおいて配置することができる。
【００１９】
前記もう一組の他の空気導入溝及び他の空気案内溝を有する例について、前記タイヤの踏面上における前記空気導入溝及び他の空気導入溝の正投影面積の和（Ａ）に対する前記空気案内溝及び他の空気案内溝の正投影面積の和（Ｂ）の比である開口率（Ｂ／Ａ）は、好ましくは、５０％以下である。
【００２０】
前記空気受入溝は、好ましくは、その伸長方向に関して、前記タイヤの踏面を規定する陸部内において終わる両端を有する。
【図面の簡単な説明】
【００２１】
【図１】タイヤの踏面の一部についてこれを平坦面上に展開した状態で示す概略図である。
【図２】タイヤの踏面に開放する空気の空気受入溝と、該空気受入溝に連通する一組の空気導入溝及び空気案内溝並びにもう一組の他の空気導入溝及び空気案内溝とを示す斜視図である。
【図３】図１の線３−３に沿って得た断面図である。
【図４】空気案内溝の他の例を示す概略的な斜視図である。
【図５】空気案内溝のさらに他の例を示す概略的な部分斜視図である。
【図６】タイヤの踏面上における空気導入溝及び他の空気導入溝の正投影面積の和（Ａ）に対する空気案内溝及び他の空気案内溝の正投影面積の和（Ｂ）の比である開口率（Ｂ／Ａ）と、空気受入溝における空気の熱伝達率との関係を示すグラフである。
【図７】（ａ）〜（ｄ）は二組の空気導入溝及び空気案内溝の位置的関係の例を示す概略的な正投影図である。
【図８】空気案内溝のさらに他の例を示す斜視図である。
【発明を実施するための形態】
【００２２】
図１を参照すると、タイヤ１０のトレッド部１２の表面の一部が平坦面上に展開された状態で概略的に示されている。
【００２３】
タイヤ１０は、その適用対象を問わないが、典型的には車両系建設機械のような大型車両に用いられる空気入りタイヤからなる。
【００２４】
タイヤ１０のトレッド部１２は任意のパターン（トレッドパターン）を備える。図１に示すトレッドパターンは、タイヤ周方向（図１において上下方向）へ伸びる一対の周方向溝１６と、タイヤ幅方向（図１において左右方向）へ伸びる複数の幅方向溝１８とを備える。両周方向溝１６は、タイヤ１０の赤道面ＣＬの両側に位置する。また、複数の幅方向溝１８は、各周方向溝１６と各トレッド端ＴＥとの間において、タイヤ周方向へ互いに等間隔をおいて配置されている。各幅方向溝１８はその一端において各周方向溝１６に連通し、また、その他端が各トレッド端ＴＥで終わっている。
【００２５】
前記トレッドパターンは、さらに、両周方向溝１６によりこれらの間に区画されたタイヤ周方向へ伸びる中央陸部２０と、タイヤ周方向に互いに隣接する２つの幅方向溝１８によりこれらの間に区画されたブロック状陸部２１とを備える。中央陸部２０及びブロック状陸部２１の表面が、実質的に、タイヤ１０の踏面をそれぞれ規定する。
【００２６】
トレッド部１２の前記トレッドパターンは、いわゆるリブ型パターン、ラグ型パターン、ブロック型パターン等からなるものであってもよい。また、幅方向溝１８は、例えば、これが前記幅方向に対してこれと交差する方向へ伸びあるいは互いに異なる幅寸法を有するものであってもよい。
【００２７】
タイヤ１０は、これを装着した前記車両の作業又は走行に伴ってそのトレッド部１２に生じる熱を放出するためにトレッド部１２に設けられた、前記踏面を規定する中央陸部２０の表面に開放する少なくとも１つの、図示の例においては複数の空気受入溝２２と、各空気受入溝２２に連通する一組の空気導入溝２４及び空気案内溝２６と、もう一組の他の空気導入溝２８及び他の空気案内溝３０とを備える。これらの溝２２〜３０は、図示の例に代えて、各ブロック状陸部２１に設けてもよい。
【００２８】
空気導入溝２４、２８は、それぞれ、前記車両がその作業又は走行のためにタイヤ１０が一方向に回転するとき、前記一方向における前方及び後方に位置するように設けられており、空気導入溝２４はタイヤ１０が前記一方向に回転するとき空気導入溝２４に流入する空気（大気）を空気受入溝２２に導入する働きをなし、空気受入溝２２はこれに導入された空気を受け入れる働きをなし、空気案内溝２６は、空気受入溝２２に導入された空気を、空気受入溝２２の溝底に向けて案内する働きをなす。このとき、他の空気導入溝２８は、空気受入溝２２内を流動した後の空気の流出路として働く。
【００２９】
同様に、タイヤ１０が反対方向に回転するとき、他の空気導入溝２８がこれに流入する空気を空気受入溝２２に導入する働きをなし、空気案内溝３０は、空気受入溝２２に導入された空気を空気受入溝２２の溝底に向けて案内する働きをなす。このとき、空気導入溝２４は、空気受入溝２２内を流動した後の空気の流出路として働く。ここにおいて、空気受入溝２２を流動する空気が、流動の間に、トレッド部１２から熱を奪う働きをなす。
【００３０】
複数の空気受入溝２２は、それぞれ、トレッド部１２を構成する中央陸部２０の表面（タイヤ１０の踏面）に開放している。図示の例では、複数の空気受入溝２２はタイヤ周方向に互いに等間隔をおいて、また、互いに平行に配置されている。これに代えて、複数の空気受入溝２２を互いに異なる間隔をおいて、あるいは、互いに非平行であるように配置することが可能である。
【００３１】
空気受入溝２２は、タイヤ周方向に対して該タイヤ周方向と交差する方向に伸びている。すなわち、タイヤ周方向に対してこれと非平行に伸びている。交差角度θは０°＜θ≦９０°の範囲内、好ましくは０°＜θ≦６０°の範囲内にあるように設定する。また、図示の空気受入溝２２は、その長手方向における一端及び他端が中央陸部２０内にある。空気受入溝２２は、中央陸部２０内を伸びかつ中央陸部２０内において終端している。空気受入溝２２は、その長手方向における両端の双方又は一方において、両周方向溝１６の双方又は一方と連通するものであってもよいが、中央陸部２０の剛性の低下を考慮して、図示の例のように非連通とすることが望ましい。
【００３２】
図２に示すように、各空気受入溝２２は、コ字形の横断面形状とこれを規定する互いに相対する一対の平坦面からなる溝壁面２２ａ、２２ｂ及びこれらの両溝壁面２２ａ、２２ｂに連なる、平坦面からなる溝底２２ｃとを有する。空気受入溝２２は、図示の例に代えて、例えば、Ｖ字形の横断面形状を有するものとすることができる。前記Ｖ字形の横断面形状を有する空気受入溝にあっては、互いに相対する一対の溝壁面はそれぞれ平坦な面からなり、また、溝底は両溝壁面の交差部からなり、直線状を呈する。
【００３３】
各空気受入溝２２の溝幅Ｗ及びその溝深さＤ（図２参照）の大きさは、空気受入溝２２を設けることによって生じるトレッド部１２の剛性の低下、具体的には中央陸部２０の剛性の低下を制限するため、Ｗ＜Ｄの関係を満たすように設定される。空気受入溝２２は、その一例として、交差角度θ＝３０°、溝幅Ｗ＝１０ｍｍ、溝深さＤ＝１００ｍｍ及びその長手方向の長さＬ（図２参照）＝２００ｍｍを有する。
【００３４】
二組の空気導入溝及び空気案内溝である一組の空気導入溝２４及び空気案内溝２６と、もう一組の他の空気導入溝２８及び空気案内溝３０とは、それぞれ、空気受入溝２２の長手方向における両端部に配置されている。これに代えて、前記二組のうちの一方（例えば一組の空気導入溝２４及び空気案内溝２６）のみを空気受入溝２２の両端部のいずれか一方に設けることができる。あるいは、また、前記二組のうちの一方（例えば一組の空気導入溝２４及び空気案内溝２６）のみを空気受入溝２２の一端部に設け、かつ、空気受入溝２２の他端部に他の空気導入溝２８のみを設けることができる。
【００３５】
図２及び図３に示すように、空気導入溝２４、２８は、それぞれ、中央陸部２０の表面（踏面）に開放している。これにより、タイヤ１０の周囲からの空気導入溝２４、２８内への空気の取入れが可能とされている。また、空気導入溝２４、２８は、それぞれ、任意の方向、好ましくは、タイヤ周方向に伸びている。これにより、空気導入溝２４、２８への空気の流入の円滑化を図ることができる。さらに、空気導入溝２４、２８は、それぞれ、空気受入溝２２の溝幅Ｗ（図２）を規定する両溝壁面２２ａ、２２ｂのうちの一方２２ａ及び他方２２ｂにおいて、空気受入溝２２に連通し該空気受入溝に開口している。これにより、タイヤ１０の前記一方向への回転時及びこれと反対方向への回転時おける前記空気の取入れと、空気受入溝２２への空気の導入とが可能とされている。
【００３６】
一方の空気導入溝２４は、コ字形の横断面形状とこれを規定する互いに相対する一対の平坦面からなる溝壁面２４ａ、２４ｂ及びこれらの両溝壁面に連なる、平坦面からなる溝底２４ｃとを有し、溝底２４ｃは空気受入溝２２の一方の溝壁面２２ａと交差している。他方の空気導入溝２８も、また、空気導入溝２４におけると同様のコ字形の横断面形状とこれを規定する互いに相対する一対の平坦面からなる溝壁面２８ａ、２８ｂ及びこれらの両溝壁面２８ａ、２８ｂに連なる、平坦面からなる溝底２８ｃとを有し、溝底２８ｃは空気受入溝２２の他方の溝壁面２２ｂと交差している。各空気導入溝２４、２８は、図示の例に代えて、例えば、Ｖ字形の横断面形状を有するものとすることができる。前記Ｖ字形の横断面形状を有する各空気導入溝にあっては、互いに相対する一対の溝壁面がそれぞれ平坦な面からなり、また、溝底は両溝壁面の交差部からなり、直線状を呈する。
【００３７】
空気導入溝２４の溝底２４ｃ及び空気導入溝２８の溝底２８ｃは、それぞれ、中央陸部２０の表面（踏面）からタイヤ径方向内側に向けて傾斜する傾斜面からなる。このため、空気受入溝２２に向かうにつれて溝深さが次第に深くなり、また、両溝壁面２４ａ、２４ｂ及び両溝壁面２８ａ、２８ｂは直角三角形状を呈する。溝底２４ｃ及び溝底２８ｃは、それぞれ、非傾斜状態で伸びるものとしてもよいが、これを前記傾斜面とするときは、溝底２４ｃを非傾斜状態にする場合と比べて、空気導入溝２４から空気案内溝２６に至る空気に、空気受入溝２２の溝底に向かうように強制するより大きい推進動力を与えることができる。
【００３８】
空気導入溝２４、２８の前記傾斜面の傾斜角度すなわち溝底２４ｃ、２８ｃの中央陸部２０の表面（踏面）に対する傾斜角度α（図２）は４５°以下、好ましくは２０°〜３０°の範囲にあることが望ましい。これは、空気導入溝２４、２８から空気受入溝２２への前記空気の流量が傾斜角度αの増大に伴って増大するところ、傾斜角度αが４５°を超えると、空気受入溝２２の近傍において前記空気の流れが溝底２４ｃ、２８ｃから剥離し易くなり、前記空気の流量が減少することによる。
【００３９】
また、空気案内溝２６はコ字形の横断面形状とこれを規定する互いに相対する一対の平坦面からなる溝壁面２６ａ、２６ｂ及びこれらの両溝壁面に連なる平坦面からなる溝底２６ｃとを有する。他の空気案内溝３０も、同様に、空気案内溝２６と同様のコ字形の横断面形状とこれを規定する互いに相対する一対の平坦面からなる溝壁面３０ａ、３０ｂ及びこれらの両溝壁面に連なる、平坦面からなる溝底３０ｃとを有する。各空気案内溝２６、３０は、図示の例に代えて、例えば、Ｖ字形の横断面形状を有するものとすることができる（図７（ｃ）参照）。前記Ｖ字形の横断面形状を有する各空気案内溝にあっては、互いに相対する一対の溝壁面がそれぞれ平坦な面からなり、また、溝底が両溝壁面の交差部からなり、直線状を呈する。
【００４０】
空気案内溝２６、３０は、それぞれ、空気受入溝２２の他方の溝壁面２２ｂ及び一方の溝壁面２２ａに開放しており、また、タイヤ径方向へ伸長している。このことから、空気受入溝２２に導入される前記空気を空気受入溝２２の溝底２２ｃに向けて案内することができる。
【００４１】
図２及び図３を参照すると、空気案内溝２６は、タイヤ径方向における一端（図上おいて上端）２６ｄと他端（図上において下端）２６ｅとを有する。空気案内溝２６の一端２６ｄ及び他端２６ｅは、それぞれ、空気導入溝２４の溝底２４ｃと空気受入溝２２の一方の溝壁面２２ａとの交差位置Ｐ１（図３）よりもタイヤ径方向外側及び空気受入溝２２の溝深さの半分の位置Ｐ２（図３）よりもタイヤ径方向内側にある。図示の例において、空気案内溝２６は、その一端２６ｄにおいて中央陸部２０の表面（踏み面）に開放している。
【００４２】
同様に、空気案内溝３０も、タイヤ径方向における一端（上端）３０ｄと他端（下端）３０ｅとを有する（図２）。また、空気案内溝３０の一端３０ｄ及び他端３０ｅ（図２）も、それぞれ、空気導入溝２８の溝底２８ｃと空気受入溝２２の他方の溝壁面２２ｂとの交差位置（Ｐ１）よりもタイヤ径方向外側及び空気受入溝２２の溝深さの半分の位置（Ｐ２）よりもタイヤ径方向内側にある。図示の例において、空気案内溝３０は、その一端３０ｄにおいて中央陸部２０の表面（踏み面）に開放している。
【００４３】
空気案内溝２６，３０の一端２６ｄ、３０ｄを位置Ｐ１より前記タイヤ径方向外側におくことにより、空気導入溝２４、２８の溝底２４ｃ、２８ｃに沿って空気受入溝２２に導入される空気ＡＲ（図３）が空気案内溝２６、３０内に流入することを可能とすることができる。また、空気案内溝２６，３０の他端２６ｅ、３０ｅを位置Ｐ２よりも前記タイヤ径方向内側におくことにより、空気案内溝２６、３０の案内又は送り作用を受ける空気ＡＲを、空気受入溝２２の溝底２２ｃにより近い位置において解放し、これにより、空気受入溝２２の溝底２２ｃ又はその近傍に強制的に送り込むことができる。
【００４４】
また、空気案内溝２６、３０は、それぞれ、空気導入溝２４、２８に対してタイヤ周方向に対向している。図示の例では、空気導入溝２４，２８と空気案内溝２６、３０とは、それぞれ、空気受入溝２２の長手方向Ｘ（図２）に関して同じ大きさの溝幅を有し、前記溝幅の全部において互いに対向している。しかし、これに限らず、空気導入溝２４，２８と空気案内溝２６、３０とは、空気受入溝２２の長手方向Ｘに関して、少なくとも部分的に対向する関係又は重なり合う関係にあればよい（図７（ａ）、（ｂ）参照）。これにより、空気導入溝２４、２８からの空気ＡＲが、空気受入溝２２を横断して、空気案内溝内２６，３０に到達することができる。
【００４５】
前記したところにより、空気ＡＲは空気受入溝２２内においてその溝底２２ｃ上又はその近傍をその長手方向Ｘへ流動することが可能となり、これがトレッド部１２の深部の冷却及びこれに伴う該深部の温度低下に寄与する。
【００４６】
タイヤの中央陸部２０を部分的に投影した図７（ａ）〜（ｄ）を参照すると、図７（ａ）の例においては、空気導入溝２４、２８が空気案内溝２６、３０より大きい溝幅を有し、このために空気導入溝２４、２８と空気案内溝２６、３０とが空気受入溝２２の長手方向Ｘ（図２）に関して部分的に対向している。また、図７（ｂ）の例においては、空気導入溝２４、２８が空気案内溝２６、３０より大きい溝幅を有することに加えて、空気案内溝２６、３０が、それぞれ、伸長方向Ｘに関して、空気受入溝２２の一端から他端に向けて間隔をおいた位置及び他端から一端に向けて間隔をおいた位置に置かれている。このため、空気導入溝２４、２８と空気案内溝２６、３０とが長手方向Ｘに関して部分的に対向している。他方、図７（ｃ）及び図７（ｄ）に示す例においては、空気導入溝２４，２８と空気案内溝２６、３０とが、それぞれ、空気受入溝２２の長手方向Ｘに関して、同じ大きさの溝幅を有し、これらの溝幅の全部において対向している。
【００４７】
また、図７（ａ）〜（ｄ）に示すように、空気導入溝２４、２８の中央陸部２０の表面（踏面）における開放面形状及び空気案内溝２６，３０の一端２６ｄ、３０ｄ（図１参照）の平面形状すなわち中央陸部２０の表面（踏面）における開放面形状は、先の例で示した矩形と異なる任意の形状とすることができる。図７（ａ）〜（ｄ）において、空気導入溝２４、２８の前記開放面形状は、台形とされている。また、空気案内溝２６、３０の前記開放面形状は、台形（図７（ａ）、（ｂ））、三角形（図７（ｃ））、円弧形（図７（ｄ））とされている。なお、図７（ｄ）に示す例にあっては、各空気案内溝２６、３０の両溝壁面（２６ａ，２６ｂ）、（３０ａ,３０ｂ）及び溝底（２６ｃ）、（３０ｃ）が、全体として円筒面の一部を構成し、両溝壁面及び溝底が前記円筒面の一部を構成する連続した３つの円弧面からなる。また、図７（ａ）〜（ｄ）に示す各例に関し、空気受入溝２２の長手方向Ｘ（図２）における両端のそれぞれにおいて、空気受入溝２２に対する各空気導入溝２４、２８の交差角度βが鋭角をなしている。交差角度βは、これを鋭角とすることに代えて、９０度（図２参照）に設定し、あるいは鈍角（図１参照）に設定することが可能である。但し、交差角度βを鋭角に設定すると、他の角度に設定する場合と比べて、空気導入溝２４，２８を流れる空気が交差角度βを規定する箇所に集まりやすく、その後、空気受入溝２２内をその溝底２２ｃに向けて流れやすい。
【００４８】
さらに、空気案内溝２６、３０の溝底２６ｃ、３０ｃについて、その全部が空気受入溝２２の溝壁面２２ａ、２２ｂと平行にタイヤ径方向へ伸びる平坦面からなるものとする先の例（図２）に代えて、次のように設定することができる（図４、図５及び図８参照）。
【００４９】
図４に示す例にあっては、空気案内溝２６、３０の溝底が平坦面２６ｃ１、３０ｃ１と傾斜面２６ｃ２、３０ｃ２とからなる。平坦面２６ｃ１、３０ｃ１は、空気案内溝２６、３０の一端２６ｄ、３０ｄから空気受入溝２２の溝壁面２２ａ、２２ｂと平行にタイヤ径方向内側へ伸びている。また、傾斜面２６ｃ２、３０ｃ２は、平坦面２６ｃ１、３０ｃ１に角度をなして連なり、空気案内溝２６、３０の他端２６ｅ、３０ｅに至る。
【００５０】
図５に示す例は、図４に示す傾斜面２６ｃ２、３０ｃ２が、これに代えて、凹状の曲面２６ｃ３、３０ｃ３とされている。凹状の曲面２６ｃ３、３０ｃ３は、それぞれ、空気受入溝２２の両溝壁面２２ａ、２２ｂに相対している。図４及び図５に示すこれらの例によれば、空気案内溝２６、３０の体積をより小さいものとすることができ、このため、前記空気案内溝を設けることによる中央陸部２０の剛性の低下を制限することができる。
【００５１】
ところで、図２、図４及び図５に示す例にあっては、前記したように、空気案内溝２６、３０の一端２６ｄ、３０ｄが中央陸部２０の表面（踏面）に開放している。これは、トレッド部１２の剛性を低下させる要因であり、また、トレッド部１２とこれに冷却作用を及ぼす空気ＡＲとの間の熱伝達率を変化させる要因でもあるから、タイヤ１０の前記踏面上における空気導入溝２４及び他の空気導入溝２８の正投影面積の和（Ａ）に対する空気案内溝２６及び他の空気案内溝３０の正投影面積の和（Ｂ）の比である開口率（Ｂ／Ａ）をどのように設定するかは重要である。
【００５２】
図６に、実験により得られた開口率（Ｂ／Ａ）と前記熱伝導率との関係をグラフで示す。これによれば、開口率（Ｂ／Ａ）が３０〜４０％において前記熱伝達率がほぼ最大値を示す。このことから、開口率（Ｂ／Ａ）は、これを５０％以下とすることが望ましい。
【００５３】
図８に示すように、空気案内溝２６、３０について、これらを、空気受入溝２２の両溝壁面２２ａ、２２ｂにそれぞれ相対する凹状の曲面からなる溝底２６ｃ、３０ｃを有するものとすることができる。空気案内溝２６、３０は、溝底２６ｃ、３０ｃにそれぞれ連なる両溝壁面２６ａ，２６ｂ、３０ａ，３０ｂを有し、両溝壁面２６ａ，２６ｂ、３０ａ，３０ｂは、それぞれ、弓張月の形状を呈する。空気案内溝２６，３０の一端２６ｄ、３０ｄ及び他端２６ｅ、３０ｅはそれぞれ中央陸部２０の表面（踏面）２０と空気受入溝２２の溝底２２ｃとの間に位置する。これらの案内溝２６、３０にあっても、その一端２６ｄ、３０ｄが、空気導入溝２４、２８の溝底２４ｃ、２８ｃと空気受入溝２２の溝壁面２２ｂ、２２ａとの交差位置（Ｐ１）よりタイヤ径方向外側にあり、また、その他端２６ｅ、３０ｅが気受入溝２２の溝深さの半分の位置（Ｐ２）よりもタイヤ径方向内側にある。
【符号の説明】
【００５４】
１０・・・タイヤ、１２・・・トレッド部、２０・・・中央陸部（踏面）、２２空気受入溝、２２ａ、２２ｂ、２２ｃ・・・空気受入溝の両溝壁面及び溝底、２４・・・空気導入溝、２４ａ、２４ｂ、２４ｃ・・・空気導入溝の両溝壁面及び溝底、２６・・・空気案内溝、２６ａ、２６ｂ、２６ｃ・・・空気案内溝の溝壁面及び溝底、２６ｄ、２６ｅ・・・空気案内溝の一端及び他端、２８・・・他の空気導入溝、２８ａ、２８ｂ、２８ｃ・・・他の空気導入溝の両溝壁面及び溝底、３０・・・他の空気案内溝、３０ａ、３０ｂ、３０ｃ・・・他の空気案内溝の両溝壁面及び溝底、３０ｄ、３０ｅ・・・他の空気案内溝の一端及び他端。
【図１】
0006578114.tif 000002
【図２】
0006578114.tif 000003
【図３】
0006578114.tif 000004
【図４】
0006578114.tif 000005
【図５】
0006578114.tif 000006
【図６】
0006578114.tif 000007
【図７】
0006578114.tif 000008
【図８】
0006578114.tif 000009